(57)【要約】【課題】  長手方向端部における光量を増加させることが可能なＬＥＤ照明装置を提供すること。【解決手段】  ＬＥＤ照明装置Ａ１は、ｘ方向に配列された複数のＬＥＤ２２を含む光源部２と、光源部２に接続されたケーブル５と、光源部２を覆い且つ光源部２からの光を透過させる、ｘ方向を長手方向とする細長状のカバー４と、カバー４のｘ方向端部に設けられ且つｘ方向と交差する方向にケーブル５を露出させるケーブル孔を有するキャップ３Ａと、を備える。【選択図】  図５
2019129098.tif 000002
【特許請求の範囲】
【請求項１】
第１方向に配列された複数のＬＥＤを含む光源部と、
前記光源部に接続されたケーブルと、
前記複数のＬＥＤを覆い且つ前記光源部からの光を透過させる、前記第１方向を長手方向とする細長状のカバーと、
前記カバーの前記第１方向端部に設けられ且つ前記第１方向と交差する第２方向に前記ケーブルを露出させるキャップと、を備える、ＬＥＤ照明装置。
【請求項２】
前記キャップは、前記光源部からの光を透過させる、請求項１に記載のＬＥＤ照明装置。
【請求項３】
前記キャップは、前記第１方向を囲むように設けられ且つ前記ケーブルの一部を収容しうるケーブル溝を有する、請求項１または２に記載のＬＥＤ照明装置。
【請求項４】
前記カバーに取り付けられ且つ外部の磁性体に固定するための磁力ホルダを備える、請求項１ないし３のいずれかに記載のＬＥＤ照明装置。
【請求項５】
前記光源部を支持する支持部材と、
前記支持部材に前記光源部を固定するための内部ホルダと、を備える、請求項１ないし４のいずれかに記載のＬＥＤ照明装置。
【発明の詳細な説明】
【技術分野】
【０００１】
本発明は、ＬＥＤ照明装置に関する。
【背景技術】
【０００２】
ＬＥＤを用いたＬＥＤ照明装置は、蛍光灯等の代替照明装置として普及している。特許文献１には、従来のＬＥＤ照明装置の一例が開示されている。同文献に開示されたＬＥＤ照明装置は、基板に配列された複数のＬＥＤを有する光源部と、光源部を覆うカバーと、カバーの両端に設けられた一対の口金とを備える。カバーは、光源部からの光を透過させる材質からなり、円筒形状である。一対の口金は、外部の給電部に取付可能とされている。このような構成により、当該ＬＥＤ照明装置は、直管形蛍光灯の代替照明装置として用いられる。このようなＬＥＤ照明装置の用途例としては、たとえば店頭において食品等の商品を冷蔵しつつ陳列するショーケースが挙げられる。
【先行技術文献】
【特許文献】
【０００３】
【特許文献１】特開２０１５−１７３００７号公報
【発明の概要】
【発明が解決しようとする課題】
【０００４】
直管型蛍光灯に類似した一対の口金を備えるＬＥＤ照明装置を取り付けるには、ショーケース等に一対の口金の長手方向外側に位置する給電部を設ける必要がある。一対の口金および給電部は非発光の部分である。このため、長手方向端部の領域において光量が不足することが懸念される。
【０００５】
本発明は、上記した事情のもとで考え出されたものであって、長手方向端部における光量を増加させることが可能なＬＥＤ照明装置を提供することをその課題とする。
【課題を解決するための手段】
【０００６】
本発明によって提供されるＬＥＤ照明装置は、第１方向に配列された複数のＬＥＤを含む光源部と、前記光源部に接続されたケーブルと、前記複数のＬＥＤを覆い且つ前記光源部からの光を透過させる、前記第１方向を長手方向とする細長状のカバーと、前記カバーの前記第１方向端部に設けられ且つ前記第１方向と交差する第２方向に前記ケーブルを露出させるキャップと、を備える。
【０００７】
本発明の好ましい実施の形態においては、前記キャップは、前記光源部からの光を透過させる。
【０００８】
本発明の好ましい実施の形態においては、前記キャップは、前記第１方向を囲むように設けられ且つ前記ケーブルの一部を収容しうるケーブル溝を有する。
【０００９】
本発明の好ましい実施の形態においては、前記カバーに取り付けられ且つ外部の磁性体に固定するための磁力ホルダを備える。
【００１０】
本発明の好ましい実施の形態においては、前記光源部を支持する支持部材と、前記支持部材に前記光源部を固定するための内部ホルダと、を備える。
【発明の効果】
【００１１】
本発明によれば、長手方向端部における光量を増加させることができる。
【００１２】
本発明のその他の特徴および利点は、添付図面を参照して以下に行う詳細な説明によって、より明らかとなろう。
【図面の簡単な説明】
【００１３】
【図１】本発明の第１実施形態に係るＬＥＤ照明装置を示す斜視図である。
【図２】本発明の第１実施形態に係るＬＥＤ照明装置を示す斜視図である。
【図３】本発明の第１実施形態に係るＬＥＤ照明装置を示す要部斜視図である。
【図４】本発明の第１実施形態に係るＬＥＤ照明装置を示す要部斜視図である。
【図５】本発明の第１実施形態に係るＬＥＤ照明装置を示す要部分解斜視図である。
【図６】本発明の第１実施形態に係るＬＥＤ照明装置を示す要部分解斜視図である。
【図７】本発明の第１実施形態に係るＬＥＤ照明装置を示す、（ａ）は、正面図であり、（ｂ）は、平面図である。
【図８】本発明の第１実施形態に係るＬＥＤ照明装置を示す、（ａ）は、左側面図であり、（ｂ）は、右側面図である。
【図９】図７のＩＸ−ＩＸ線に沿う要部拡大断面図である。
【図１０】図７のＩＸ−ＩＸ線に沿う要部拡大断面図である。
【図１１】図７のＩＸ−ＩＸ線に沿う要部拡大断面図である。
【図１２】図９のＸＩＩ−ＸＩＩ線に沿う断面図である。
【図１３】図９のＸＩＩＩ−ＸＩＩＩ線に沿う断面図である。
【図１４】図１０のＸＩＶ−ＸＩＶ線に沿う断面図である。
【図１５】本発明の第１実施形態に係るＬＥＤ照明装置のキャップを示す斜視図である。
【図１６】本発明の第１実施形態に係るＬＥＤ照明装置のキャップを示す、（ａ）は、平面図であり、（ｂ）は、正面図であり、（ｃ）は、背面図である。
【図１７】本発明の第１実施形態に係るＬＥＤ照明装置のキャップを示す、（ａ）は、左側面図であり、（ｂ）は、右側面図である。
【図１８】（ａ）は、図１６（ａ）のＸＶＩＩＩａ−ＸＶＩＩＩａ線に沿う断面図であり、（ｂ）は、図１６（ａ）のＸＶＩＩＩｂ−ＸＶＩＩＩｂ線に沿う断面図である。
【図１９】本発明の第１実施形態に係るＬＥＤ照明装置を示す要部拡大斜視図である。
【図２０】本発明の第１実施形態に係るＬＥＤ照明装置の内部ホルダを示す、（ａ）は、平面図であり、（ｂ）は、正面図であり、（ｃ）は、右側面図である。
【図２１】本発明の第１実施形態に係るＬＥＤ照明装置の磁力ホルダを示す斜視図である。
【図２２】本発明の第１実施形態に係るＬＥＤ照明装置の磁力ホルダを示す、（ａ）は、平面図であり、（ｂ）は、正面図であり、（ｃ）は、右側面図である。
【図２３】（ａ）は、図２２（ａ）のＸＸＩＩＩａ−ＸＸＩＩＩａに沿う断面図であり、（ｂ）は、図２２（ａ）のＸＸＩＩＩｂ−ＸＸＩＩＩｂに沿う断面図である。
【図２４】本発明の第１実施形態に係るＬＥＤ照明装置を用いたショーケースの一例を示す概略断面図である。
【図２５】本発明の第１実施形態に係るＬＥＤ照明装置を用いたショーケースの一例を示す要部拡大斜視図である。
【図２６】図２５のＸＸＶＩ−ＸＸＶＩ線に沿う要部拡大断面図である。
【図２７】本発明の第１実施形態に係るＬＥＤ照明装置を用いたショーケースの一例を示す要部拡大右側面図である。
【図２８】本発明の第１実施形態に係るＬＥＤ照明装置を用いたショーケースの変形例を示す要部拡大左側面図である。
【図２９】本発明の第１実施形態に係るＬＥＤ照明装置を用いたショーケースの他の変形例を示す要部拡大斜視図である。
【図３０】本発明の第１実施形態に係るＬＥＤ照明装置を用いたショーケースの他の変形例を示す要部拡大正面図である。
【図３１】本発明の第１実施形態に係るＬＥＤ照明装置および複数の変形例を示す斜視図である。
【発明を実施するための形態】
【００１４】
以下、本発明の好ましい実施の形態につき、図面を参照して具体的に説明する。
【００１５】
＜第１実施形態＞
図１〜図１４は、本発明の第１実施形態に係るＬＥＤ照明装置を示している。本実施形態のＬＥＤ照明装置Ａ１は、支持部材１、光源部２、キャップ３Ａ、キャップ３Ｂ、カバー４、ケーブル５、内部ホルダ６および複数の磁力ホルダ７を備えている。ＬＥＤ照明装置Ａ１は、ｘ方向を長手方向とする細長状の照明装置であり、本実形態においては、直管形蛍光灯に類似した形状の照明装置とされている。ただし、本発明に係るＬＥＤ照明装置は、直管形蛍光灯の代替照明装置や直管形蛍光灯に類似したものに限定されない。
【００１６】
図１は、ＬＥＤ照明装置Ａ１を示す斜視図である。図２は、ＬＥＤ照明装置Ａ１を示す斜視図である。図３は、ＬＥＤ照明装置Ａ１を示す要部斜視図である。図４は、ＬＥＤ照明装置Ａ１を示す要部斜視図である。図５は、ＬＥＤ照明装置Ａ１を示す要部分解斜視図である。図６は、ＬＥＤ照明装置Ａ１を示す要部分解斜視図である。図７は、ＬＥＤ照明装置Ａ１を示す、（ａ）は、正面図であり、（ｂ）は、平面図である。図８は、ＬＥＤ照明装置Ａ１を示す、（ａ）は、左側面図であり、（ｂ）は、右側面図である。図９は、図７のＩＸ−ＩＸ線に沿う要部拡大断面図である。図１０は、図７のＩＸ−ＩＸ線に沿う要部拡大断面図である。図１１は、図７のＩＸ−ＩＸ線に沿う要部拡大断面図である。図１２は、図９のＸＩＩ−ＸＩＩ線に沿う断面図である。図１３は、図９のＸＩＩＩ−ＸＩＩＩ線に沿う断面図である。図１４は、図１０のＸＩＶ−ＸＩＶ線に沿う断面図である。これらの図において、ｘ方向は、第１方向および長手方向に相当し、ｙ方向およびｚ方向は、第２方向に相当しうる。図中においては、ｙ方向およびｚ方向は、いずれもがｘ方向に対して直角であり、互いに直角である。図３および図４においては、理解の便宜上、カバー４を省略している。
【００１７】
〔支持部材１〕
支持部材１は、光源部２を支持するものであり、本実施形態においては、図５および図６に示すように、カバー４に収容されている。図９〜図１１、図１３および図１４に示すように、本実施形態の支持部材１は、主板部１１、一対の側板部１２、一対の係止部１３、一対の背板部１４、一対の屈曲部１５および環状部１６を有している。支持部材１の材質は特に限定されず、図示された例においては、たとえばアルミ等の金属からなる。このような構成の支持部材１は、光源部２からの熱を放熱するのに適している。本実施形態の支持部材１は、ｙｚ平面に沿う断面形状が一定である。
【００１８】
主板部１１は、ｘ方向を長手方向とし、ｙ方向を幅方向とし、ｚ方向を厚さ方向とする、長矩形状の部位である。一対の側板部１２は、主板部１１のｙ方向両端からｚ方向図中下方に延出した部位である。一対の係止部１３は、一対の側板部１２のｚ方向図中下端からｙ方向内方に延出した部位である。一対の背板部１４は、主板部１１のｚ方向図中上面からｚ方向図中上方に延出しており、ｙ方向に互いに離間している。図示された例においては、一対の背板部１４は、主板部１１のｙ方向両端よりもｙ方向内方に位置する。
【００１９】
一対の屈曲部１５は、一対の背板部１４のｚ方向図中上端に繋がっており、ｚ方向図中上方に向かうほどｙ方向内方に位置するように傾いている。環状部１６は、主板部１１のｚ方向図中上面に繋がっており、ｘ方向視において一部が切り欠かれた円環形状である。環状部１６は、主板部１１のｙ方向略中央に設けられている。
【００２０】
〔光源部２〕
光源部２は、ＬＥＤ照明装置Ａ１の光源であり、本実施形態においては、図４、図６、図９〜図１１、図１３および図１４に示すように、基板２１および複数のＬＥＤ２２を有する。
【００２１】
基板２１は、複数のＬＥＤ２２が搭載されたものであり、ｘ方向を長手方向とし、ｙ方向を幅方向とし、ｚ方向を厚さ方向とする、長矩形状である。基板２１は、たとえばガラスエポキシ樹脂等の絶縁性材料からなる基材と、この基材上に形成された配線パターン（図示略）とからなる。基板２１は、たとえば支持部材１の主板部１１に接着材や接着テープ等によって接合されていてもよい。
【００２２】
複数のＬＥＤ２２は、通電されることによって発光する発光体であり、ｘ方向に配列されている。図示された例においては、複数のＬＥＤ２２は、ｘ方向に１列に配置されているが、ｘ方向に複数列に配置されていてもよい。
【００２３】
ＬＥＤ２２は、ＬＥＤチップ（図示略）を含む。ＬＥＤ２２は、ＬＥＤチップ単体からなるものでも、ＬＥＤチップ以外の構成要素を含むものであってもよい。ＬＥＤ２２の構成例としては、たとえばＬＥＤチップが搭載されたモジュール基板またはリードと、ＬＥＤチップを覆う透光樹脂とを含む構成が挙げられる。ＬＥＤチップの発光色は特に限定されず、たとえば青色光を発する。また、透光樹脂は、たとえば透明な樹脂に蛍光材料が混入された材質によって形成される。この蛍光材料は、ＬＥＤチップからの青色光によって励起されることにより、黄色光を発する。このような構成により、ＬＥＤ２２は、白色光を発する構成とすることができる。
【００２４】
〔カバー４〕
カバー４は、光源部２の複数のＬＥＤ２２を覆っており、光源部２からの光を透過させる材質からなる。本実施形態においては、カバー４は、支持部材１および光源部２を収容しており、ｘ方向を長手方向とする円筒形状である。カバー４の材質は特に限定されず、光源部２からの光を透過させる透明または半透明の樹脂等からなる。本実施形態においては、カバー４は、半透明の乳白色の樹脂からなる。なお、カバー４は、光源部２の全体を収容する構成に限定されず、たとえば、光源部２の複数のＬＥＤ２２をｚ方向下方から覆う半円筒形状のものであってもよい。本実施形態のカバー４は、一対の切り欠き部４１を有する。一対の切り欠き部４１は、カバー４のｘ方向両端に設けられており、各々がｘ方向内方に凹んでいる。一対の切り欠き部４１は、互いのｙ方向位置およびｚ方向位置（周方向位置）が一致している。
【００２５】
〔キャップ３Ａ〕
キャップ３Ａは、図１〜図４に示すように、カバー４のｘ方向（長手方向）一端に設けられている。本実施形態においては、キャップ３Ａは、円筒形状のカバー４のｘ方向一端の開口を塞いでいる。キャップ３Ａの材質は特に限定されず、樹脂や金属等の様々な材質を用いることができる。本実施形態においては、キャップ３Ａは、光源部２からの光を透過させる材質からなり、好ましくは乳白色の半透明の樹脂からなる。
【００２６】
図１５〜図１８に示すように、本実施形態のキャップ３Ａは、端板部３１Ａ、筒状部３２Ａ、ケーブル孔３３Ａ、ケーブル溝３４Ａ、ボルト孔３５Ａおよびリング溝３６Ａを有する。
【００２７】
端板部３１Ａは、ｘ方向において最も外側に位置しており、ｘ方向と直角である外面を有する。本実施形態においては、端板部３１Ａは、ｘ方向視において円形状である。筒状部３２Ａは、端板部３１Ａからｘ方向内方に延びており、ｘ方向を軸方向とする略円筒形の部位である。本実施形態においては、図９に示すように、筒状部３２Ａの少なくとも一部は、カバー４内に挿入されている。本実施形態の筒状部３２Ａには、突起３２１Ａが形成されている。突起３２１Ａは、周囲部分よりもｘ方向内方に突出している。図７（ａ）および図９に示すように突起３２１Ａは、カバー４の一方の切り欠き部４１に嵌め込まれることにより、カバー４に対するキャップ３Ａの周方向位置を規定している。
【００２８】
ケーブル孔３３Ａは、ｘ方向（長手方向）と交差する方向にケーブル５を露出させるためのものである。ケーブル５が露出する方向は、ｘ方向（長手方向）と交差する方向であれば特に限定されず、ｘ方向に対して直角である方向や、ｘ方向に対して傾いた方向が適宜選択される。本実施形態においては、ケーブル孔３３Ａは、ケーブル５をｘ方向と直角である方向に露出させる構成とされており、図示された例においては、ケーブル５をｚ方向に露出させる。ケーブル孔３３Ａは、筒状部３２Ａをｚ方向に貫通する貫通孔である。
【００２９】
ケーブル溝３４Ａは、ケーブル孔３３Ａから露出したケーブル５の一部を収容しうるものであり、ｘ方向を囲むように設けられている。図示された例においては、ケーブル溝３４Ａは、筒状部３２Ａの一部が凹んだ形状であり、ケーブル孔３３Ａに繋がっている。本例においては、ケーブル溝３４Ａは、ｘ方向を中心とする略１８０°の方位に設けられている。
【００３０】
ボルト孔３５Ａは、端板部３１Ａをｘ方向に貫通しており、図５、図６および図９に示すネジ３９１Ａを挿通させるためのものである。本実施形態においては、ネジ３９１Ａは、キャップ３Ａのボルト孔３５Ａに挿通されて、支持部材１の環状部１６に螺合されている。これにより、キャップ３Ａが支持部材１に固定されている。ネジ３９１Ａは、光源部２の基板２１よりもｚ方向図中上方に位置している。また、図示された例においては、ボルト孔３５Ａは、封止部材３９２Ａによって塞がれている。封止部材３９２Ａは、たとえばゴムからなる部材であり、外部からボルト孔３５Ａに水分等が浸入することを防止するためのものである。
【００３１】
リング溝３６Ａは、筒状部３２Ａの外周面から凹むように設けられており、筒状部３２Ａの全周にわたって設けられている。リング溝３６Ａは、図５、図６および図９に示すＯリング３９３Ａを収容するためのものである。Ｏリング３９３Ａは、キャップ３Ａのリング溝３６Ａに収容された状態で、カバー４の内周面に密着することにより、キャップ３Ａとカバー４との隙間から、水分等が浸入することを防止するためのものである。
【００３２】
〔キャップ３Ｂ〕
キャップ３Ａは、図１〜図４に示すように、キャップ３Ａとは反対側のカバー４のｘ方向（長手方向）他端に設けられている。本実施形態においては、キャップ３Ｂは、円筒形状のカバー４のｘ方向他端の開口を塞いでいる。キャップ３Ｂの材質は特に限定されず、樹脂や金属等の様々な材質を用いることができる。本実施形態においては、キャップ３Ｂは、光源部２からの光を透過させる材質からなり、好ましくは乳白色の半透明の樹脂からなる。なお、カバー４のｘ方向両端に一対のキャップ３Ａを設け、それぞれからケーブル５が露出しうる構成であってもよい。
【００３３】
本実施形態のキャップ３Ｂは、ケーブル孔３３Ａおよびケーブル溝３４Ａが形成されていない点を除き、キャップ３Ａと類似の構成である。図１１に示すように、本実施形態のキャップ３Ｂは、端板部３１Ｂ、筒状部３２Ｂ、ボルト孔３５Ｂおよびリング溝３６Ｂを有する。
【００３４】
端板部３１Ｂは、ｘ方向において最も外側に位置しており、ｘ方向と直角である外面を有する。本実施形態においては、端板部３１Ｂは、ｘ方向視において円形状である。筒状部３２Ｂは、端板部３１Ｂからｘ方向内方に延びており、ｘ方向を軸方向とする略円筒形の部位である。本実施形態においては、図１１に示すように、筒状部３２Ｂの少なくとも一部は、カバー４内に挿入されている。本実施形態の筒状部３２Ｂには、突起３２１Ｂが形成されている。突起３２１Ｂは、周囲部分よりもｘ方向内方に突出している。図７（ａ）および図１１に示すように突起３２１Ｂは、カバー４の他方の切り欠き部４１に嵌め込まれることにより、カバー４に対するキャップ３Ｂの周方向位置を規定している。
【００３５】
ボルト孔３５Ｂは、端板部３１Ｂをｘ方向に貫通しており、図１１に示すネジ３９１Ｂを挿通させるためのものである。本実施形態においては、ネジ３９１Ｂは、キャップ３Ｂのボルト孔３５Ｂに挿通されて、支持部材１の環状部１６に螺合されている。これにより、キャップ３Ｂが支持部材１に固定されている。すなわち、キャップ３Ａおよびキャップ３Ｂがネジ３９１Ａおよびネジ３９１Ｂによって支持部材１に固定されることにより、カバー４は、ｘ方向両端からキャップ３Ａおよびキャップ３Ｂに挟まれて支持されたものとなっている。ネジ３９１Ｂは、光源部２の基板２１よりもｚ方向図中上方に位置している。また、図示された例においては、ボルト孔３５Ｂは、封止部材３９２Ｂによって塞がれている。封止部材３９２Ｂは、たとえばゴムからなる部材であり、外部からボルト孔３５Ｂに水分等が浸入することを防止するためのものである。
【００３６】
リング溝３６Ｂは、筒状部３２Ｂの外周面から凹むように設けられており、筒状部３２Ｂの全周にわたって設けられている。リング溝３６Ｂは、図１１に示すＯリング３９３Ｂを収容するためのものである。Ｏリング３９３Ｂは、キャップ３Ｂのリング溝３６Ｂに収容された状態で、カバー４の内周面に密着することにより、キャップ３Ｂとカバー４との隙間から、水分等が浸入することを防止するためのものである。
【００３７】
また、ネジ３９１Ａ（ネジ３９１Ｂ）と封止部材３９２Ａ（封止部材３９２Ｂ）のいずれか一方又は両方は、透光性を有する材質から構成されていてもよい。このようにすることによって、ネジ３９１Ａ（ネジ３９１Ｂ）と封止部材３９２Ａ（封止部材３９２Ｂ）を含めたキャップ３Ａとキャップ３Ｂから光源部２の光をより効果的にＬＥＤ照明装置Ａ１の外へ出射させることが可能となるため、ＬＥＤ照明装置Ａ１の長手方向端部における光量を増加させることが可能となる。
【００３８】
また、Ｏリング３９３ＡおよびＯリング３９３Ｂは、透光性を有する材質から構成されていてもよい。このようにすることによって、リング溝３６Ａおよびリング溝３６Ｂに収容されたＯリング３９３ＡおよびＯリング３９３Ｂを含めたキャップ３Ａとキャップ３Ｂから光源部２の光をより効果的にＬＥＤ照明装置Ａ１の外へ出射させることが可能となるため、ＬＥＤ照明装置Ａ１の長手方向端部における光量を増加させることが可能となる。
【００３９】
〔ケーブル５〕
ケーブル５は、光源部２を点灯させるための電力を供給するためのものであり、たとえば、後述するショーケース等との接続に用いられる。本実施形態においては、ケーブル５は、図９に示すように、一端が光源部２の基板２１の配線パターン（図示略）にはんだ等によって導通接合されることにより、光源部２に接続されている。なお、ケーブル５と光源部２との接続形態は特に限定されず、たとえば、光源部２に設けられたコネクタに接続されてもよいし、光源部２に設けられた別のケーブルとカバー４内においてコネクタ等を介して接続されてもよい。
【００４０】
図８（ａ）、図９および図１２に示すように、ケーブル５は、キャップ３Ａのケーブル孔３３Ａに挿通されており、ケーブル孔３３Ａからｘ方向と交差するｚ方向に露出している。ケーブル５のうちケーブル孔３３Ａから露出した部分は、ケーブル溝３４Ａに沿わて屈曲させることにより、ケーブル溝３４Ａに収容されうる。図示された例においては、ケーブル溝３４Ａは、ケーブル孔３３Ａに対してｙ方向両側に形成されている。このため、ケーブル５は、図１２における図中右側に屈曲させた場合であっても、図中左側に屈曲させた場合であっても、ケーブル溝３４Ａに沿わせて収容することができる。
【００４１】
〔内部ホルダ６〕
内部ホルダ６は、図１９に示すように、光源部２の基板２１を支持部材１に対してより確実に取り付けるためのものである。内部ホルダ６は、たとえば樹脂からなる。図１９および図２０に示すように、図示された例においては、内部ホルダ６は、主部６１、一対の側部６２、凸部６３および一対の係止部６４を有する。なお、図示された例においては、ＬＥＤ照明装置Ａ１は、１つの内部ホルダ６を備えているが、複数の内部ホルダ６を備える構成であってもよい。また、支持部材１や光源部２の製造精度によっては、ＬＥＤ照明装置Ａ１は、内部ホルダ６を備えない構成であってもよい。
【００４２】
主部６１は、内部ホルダ６の本体部分であり、図示された例においては、ｚ方向において矩形状の部分である。主部６１には、開口６１１が形成されている。開口６１１は、主部６１をｚ方向に貫通しており、光源部２の基板２１を露出させるためのものである。
【００４３】
一対の側部６２は、主部６１のｙ方向両端から図下方に延出している。一対の側部６２のｙ方向外面は曲面とされており、図１４に示すように、カバー４の内周面に当接している。
【００４４】
凸部６３は、主部６１からｚ方向図中上方に突出している。図示された例においては、開口６１１が主部６１に加えて凸部６３を貫通している。凸部６３は、光源部２の基板２１に当接することにより、基板２１を支持部材１の主板部１１に対してより強く押し付けるためのものである。
【００４５】
一対の係止部６４は、主部６１からｚ方向図中上方に延出しており、ｙ方向に互いに離間している。図示された例においては、一対の係止部６４は、ｚ方向図中上端がｙ方向内方に屈曲した形状とされている。一対の係止部６４は、支持部材１の主板部１１のｚ方向図中上面に係止することにより、内部ホルダ６を支持部材１に対して固定するためのものである。
【００４６】
〔磁力ホルダ７〕
磁力ホルダ７は、ＬＥＤ照明装置Ａ１を外部の磁性体からなる取付対象に固定するためのものである。図１３および図２１〜図２３に示すように、本実施形態の磁力ホルダ７は、ホルダ７１および磁石７２を備える。図示された例においては、ＬＥＤ照明装置Ａ１は、２つの磁力ホルダ７を備えているが、磁力ホルダ７の個数はこれに限定されず、１つでも３つ以上でもよい。また、ＬＥＤ照明装置Ａ１を取り付けるための別の手段が用意されている場合等は、ＬＥＤ照明装置Ａ１は、磁力ホルダ７を備えない構成であってもよい。
【００４７】
ホルダ７１は、磁石７２を保持し、且つＬＥＤ照明装置Ａ１のカバー４に取り付けられる部材である。ホルダ７１は、たとえば樹脂からなり、好ましくは透明な樹脂からなる。図示された例においては、ホルダ７１は、本体部７１１、一対の溝７１２および一対のアーム部７１３を有する。本体部７１１は、磁石７２を保持する部位である。一対の溝７１２は、本体部７１１に設けられており、本体部７１１のｙ方向内方からｙ方向外方に向けて凹んだ溝部分である。一対のアーム部７１３は、本体部７１１のｙ方向両端に繋がっており、ｚ方向視において湾曲した形状とされている。一対のアーム部７１３の内面は、たとえばカバー４の外周面と同程度か僅かに小さい円を描く形状である。これにより、一対のアーム部７１３によってカバー４を挟むようにして、磁力ホルダ７がカバー４（ＬＥＤ照明装置Ａ１）に取り付けられる。
【００４８】
磁石７２は、たとえばフェライト磁石からなる。図示された例においては、磁石７２は、一対のリブ７２１を有する。一対のリブ７２１は、ｙ方向両側に突出している。一対のリブ７２１がホルダ７１の一対の溝７１２に嵌め込まれることにより、磁石７２がホルダ７１に対して固定されている。
【００４９】
〔ショーケースＢ１〕
次に、ＬＥＤ照明装置Ａ１の用途例であるショーケースＢ１について、図２４〜図２７を参照しつつ以下に説明する。なお、ＬＥＤ照明装置Ａ１の用途は、ショーケースＢ１に限定されず、様々な用途に用いられる。
【００５０】
ショーケースＢ１は、店頭等において食品等の商品を陳列するものである。ショーケースＢ１は、商品を保温する機能を有するものが一般的であり、冷蔵用途や冷凍用途等がある。図示された例においては、ショーケースＢ１は、筐体８０、天部８１、複数の棚部８２、電源部８３、ケーブル８４およびコネクタ８５を有しており、複数のＬＥＤ照明装置Ａ１が取り付けられている。
【００５１】
筐体８０は、ショーケースＢ１の本体部分である。筐体８０は、たとえば天部８１や複数の棚部８２を支持するための構造部材を有する。また、筐体８０は、商品を冷蔵するための冷蔵装置（図示略）を含んでいてもよい。
【００５２】
天部８１は、ショーケースＢ１のｚ方向最上位に設けられており、複数の棚部８２をｚ方向上方から覆っている。天部８１のｙ方向先端のｚ方向下面には、ＬＥＤ照明装置Ａ１が取り付けられている。
【００５３】
複数の棚部８２は、商品を陳列するための部位であり、ｚ方向に配列されている。図２５および図２６に示すように、各棚部８２のｚ方向下面には、ＬＥＤ照明装置Ａ１がそれぞれ取り付けられている。なお、図示された例においては、棚部８２の少なくとも一部が磁性体からなる。ＬＥＤ照明装置Ａ１は、この磁性体部分と磁力ホルダ７とが磁力によって引き合うことにより、棚部８２に取り付けられている。
【００５４】
電源部８３は、複数のＬＥＤ照明装置Ａ１を点灯させるための電力を供給するものである。たとえば、電源部８３は、商用の交流電力を、ＬＥＤ照明装置Ａ１（光源部２）の点灯に適した直流電力に変換する。図示された例においては、電源部８３は、天部８１の上方に設けられているが、これは一例であり、電源部８３の構成や設置位置は特に限定されない。
【００５５】
ケーブル８４は、電源部８３と複数のＬＥＤ照明装置Ａ１とを接続している。図示された例においては、ケーブル８４は、電源部８３から天部８１を貫通して筐体８０に沿ってｚ方向下方に向けて敷設されている。また、ケーブル８４は、各棚部８２に沿ってＬＥＤ照明装置Ａ１へと敷設されている。
【００５６】
図示された例においては、ＬＥＤ照明装置Ａ１のケーブル孔３３Ａは、ｙ方向においてＬＥＤ照明装置Ａ１のｙ方向中心よりもｙ方向前方（図２７における図中左方）に位置している。一方、各棚部８２に敷設されたケーブル８４は、ＬＥＤ照明装置Ａ１に対してｙ方向後方（図２７における図中右方）から延びている。この場合、ケーブル５は、ケーブル孔３３Ａから露出した部分が、ケーブル溝３４Ａに沿って図中右方へと屈曲させられる。図示された例においては、ケーブル５の先端にコネクタ５１が設けられている。このコネクタ５１と、ケーブル８４の先端に設けられたコネクタ８５とを結合させることにより、ケーブル８４とＬＥＤ照明装置Ａ１とが接続される。コネクタ５１とコネクタ８５との結合位置は、ＬＥＤ照明装置Ａ１に対してｙ方向後方であることが好ましい。
【００５７】
次に、ＬＥＤ照明装置Ａ１の作用について説明する。
【００５８】
本実施形態によれば、キャップ３Ａには、ケーブル５を長手方向であるｘ方向と交差する方向に露出させるケーブル孔３３Ａが設けられている。これにより、ケーブル５は、キャップ３Ａからｘ方向には突出せず、ｘ方向と異なる方向に延びるものとなる。これにより、ＬＥＤ照明装置Ａ１のｘ方向端部には、直管形蛍光灯における口金に相当する部材を設ける必要がない。また、ＬＥＤ照明装置Ａ１を取り付ける機器において、ＬＥＤ照明装置Ａ１のｘ方向端部に取り付けるための給電部を設ける必要がない。したがって、ＬＥＤ照明装置Ａ１のｘ方向端部における非発光部分を縮小することが可能であり、ＬＥＤ照明装置Ａ１のｘ方向端部における光量を増加することができる。
【００５９】
本実施形態においては、キャップ３Ａは、光源部２からの光を透過する材質からなる。これにより、ＬＥＤ照明装置Ａ１においては、キャップ３Ａのｘ方向端部までを発光領域とすることが可能である。これは、ＬＥＤ照明装置Ａ１のｘ方向端部における光量増加に好ましい。また、キャップ３Ａとは反対側に設けられたキャップ３Ｂを、光源部２からの光を透過する材質によって形成することにより、ＬＥＤ照明装置Ａ１のｘ方向両端部における光量を増加することができる。口金を有さない構成により、光源部２の基板２１をｘ方向において端部により近い位置まで設けることが可能である。これは、ＬＥＤ照明装置Ａ１の端部における光量増加に好ましい。なお、図示された例とは異なり、基板２１のｘ方向端部が、キャップ３Ａの内部に達する構成であってもよい。キャップ３Ａおよびキャップ３Ｂが、光源部２からの光を拡散させつつ透過させる半透明の材質からなることにより、ＬＥＤ照明装置Ａ１の内部構造に起因する光のムラを抑制することができる。なお、図示された例とは異なり、基板２１のｘ方向端部が、キャップ３Ａ，３Ｂの内部に達する構成であってもよい。
【００６０】
キャップ３Ａにケーブル溝３４Ａが形成されていることにより、図２７に示したような使用例において、ケーブル孔３３ＡからＬＥＤ照明装置Ａ１のｙ方向中心を超えてｙ方向反対側にケーブル５を屈曲させる場合に、ケーブル５をキャップ３Ａに適切に沿わせることが可能である。これは、美観の向上や、ケーブル５の絡み防止等に有利である。
【００６１】
外部ホルダ７を有することにより、外部の磁性体にＬＥＤ照明装置Ａ１を容易に取り付けることが可能である。また、ショーケースＢ１等からＬＥＤ照明装置Ａ１を容易に取り外すことが可能であり、別のＬＥＤ照明装置Ａ１への交換作業や、ＬＥＤ照明装置Ａ１の取り付け姿勢の変更作業等を、より容易に行うことができる。
【００６２】
内部ホルダ６を備えることにより、支持部材１や基板２１に製造時や使用時において不可避的な撓みが生じても、支持部材１と基板２１（光源部２）とをより確実に固定することができる。
【００６３】
図２８〜図３１は、本発明の変形例を示している。なお、これらの図において、上記実施形態と同一または類似の要素には、上記実施形態と同一の符号を付している。
【００６４】
〔ショーケースＢ１  第１変形例〕
図２８は、ショーケースＢ１の第１変形例を示している。本変形例のショーケースＢ１１においては、ＬＥＤ照明装置Ａ１のケーブル孔３３Ａは、ｙ方向においてＬＥＤ照明装置Ａ１のｙ方向中心よりもｙ方向後方（図２８における図中左方）に位置している。各棚部８２に敷設されたケーブル８４は、ＬＥＤ照明装置Ａ１に対してｙ方向後方（図２８における図中左方）から延びている。このため、ＬＥＤ照明装置Ａ１のケーブル５は、ケーブル孔３３Ａから露出した部分が、上述したショーケースＢ１とは反対側に屈曲されている。そして、コネクタ５１とコネクタ８５とがＬＥＤ照明装置Ａ１のｙ方向後方において結合されている。
【００６５】
本変形例から理解されるように、ＬＥＤ照明装置Ａ１は、取り付けられる機器の給電構成に応じて、ケーブル５の屈曲等を設定することにより、より広い種類の機器に用いることができる。なお、ＬＥＤ照明装置Ａ１は、ｙ方向後方から給電される場合に限定されず、ＬＥＤ照明装置Ａ１に対してｙ方向前方から給電される構成の機器に用いられてもよい。また、このようなＬＥＤ照明装置Ａ１の利点は、ＬＥＤ照明装置Ａ１がショーケースＢ１やショーケースＢ１１に用いられた場合に限定されず、ＬＥＤ照明装置Ａ１が様々な機器に用いられた場合に奏しうる効果である。
【００６６】
〔ショーケースＢ１  第２変形例〕
図２９および図３０は、ショーケースＢ１の第２変形例を示している。本変形例のショーケースＢ１２においては、１つの棚部８２に２つのＬＥＤ照明装置Ａ１が取り付けられている。２つのＬＥＤ照明装置Ａ１は、互いの長手方向が一致するようにｘ方向に並べられている。また、一方のＬＥＤ照明装置Ａ１のｘ方向一端と他方のＬＥＤ照明装置Ａ１の他端とが、互いに近接して配置されている。図示された例においては、一方のＬＥＤ照明装置Ａ１のキャップ３Ａと他方のＬＥＤ照明装置Ａ１のキャップ３Ｂとが近接している。キャップ３Ａとキャップ３Ｂとの近接は、互いに接していてもよいし、明らかな空間として視認されない程度の隙間を隔てた配置であってもよい。
【００６７】
ケーブル５がキャップ３Ａからｘ方向と交差する方向に露出していることにより、キャップ３Ａにキャップ３Ｂを近接させて配置することが可能である。また、キャップ３Ａおよびキャップ３Ｂが光源部２からの光を透過する材質からなる場合、キャップ３Ａおよびキャップ３Ｂからも光源部２の光が出射される。これにより、点灯状態の２つのＬＥＤ照明装置Ａ１を、１つのより長い照明装置が点灯しているものとして視認させることが可能である。また、棚部８２のｘ方向寸法が異なる場合であっても、単一サイズのＬＥＤ照明装置Ａ１を任意の個数用いることにより、それぞれの場合においてこのような一体的な外観を実現することができる。なお、本変形例と同様にして、３つ以上のＬＥＤ照明装置Ａ１を取り付けてもよい。また、２つのＬＥＤ照明装置Ａ１のキャップ３Ａ同士を近接させて、ＬＥＤ照明装置Ａ１を取り付けてもよい。
【００６８】
〔ＬＥＤ照明装置Ａ１  変形例〕
図３１は、ＬＥＤ照明装置Ａ１とＬＥＤ照明装置Ａ１の複数の変形例とを示している。図示されたＬＥＤ照明装置Ａ１１，Ａ１２，Ａ１３は、それぞれのｘ方向長さがＬＥＤ照明装置Ａ１と異なっている。ＬＥＤ照明装置Ａ１１，Ａ１２，Ａ１３のｘ方向長さに関連する構成以外については、ＬＥＤ照明装置Ａ１と同様である。
【００６９】
ＬＥＤ照明装置Ａ１１は、ＬＥＤ照明装置Ａ１よりもｘ方向長さが短い構成である。ＬＥＤ照明装置Ａ１２，Ａ１３は、ＬＥＤ照明装置Ａ１よりもｘ方向長さが長い構成であり、ＬＥＤ照明装置Ａ１３は、ＬＥＤ照明装置Ａ１２よりも長い。このような複数の例としては、ＬＥＤ照明装置Ａ１を２０形の直管形蛍光灯の代替照明装置とし得るサイズとし、ＬＥＤ照明装置Ａ１１を１０形の直管形蛍光灯の代替照明装置とし得るサイズとし、ＬＥＤ照明装置Ａ１２を３２形の直管形蛍光灯の代替照明装置とし得るサイズとし、ＬＥＤ照明装置Ａ１３を４０形の直管形蛍光灯の代替照明装置とし得るサイズとする構成例が挙げられる。
【００７０】
本発明に係るＬＥＤ照明装置は、上述した実施形態に限定されるものではない。本発明に係るＬＥＤ照明装置の各部の具体的な構成は、種々に設計変更自在である。
【符号の説明】
【００７１】
Ａ１，Ａ１１，Ａ１２，Ａ１３：ＬＥＤ照明装置
Ｂ１，Ｂ１１，Ｂ１２：ショーケース
１        ：支持部材
２        ：光源部
３Ａ，３Ｂ：キャップ
４        ：カバー
５        ：ケーブル
６        ：内部ホルダ
７        ：磁力ホルダ
１１      ：主板部
１２      ：側板部
１３      ：係止部
１４      ：背板部
１５      ：屈曲部
１６      ：環状部
２１      ：基板
２２      ：ＬＥＤ
３１Ａ，３１Ｂ：端板部
３２Ａ，３２Ｂ：筒状部
３３Ａ    ：ケーブル孔
３４Ａ    ：ケーブル溝
３５Ａ，３５Ｂ：ボルト孔
３６Ａ，３６Ｂ：リング溝
５１      ：コネクタ
６１      ：主部
６２      ：側部
６３      ：凸部
６４      ：係止部
７１      ：ホルダ
７２      ：磁石
８０      ：筐体
８１      ：天部
８２      ：棚部
８３      ：電源部
８４      ：ケーブル
８５      ：コネクタ
３９１Ａ，３９１Ｂ：ネジ
３９２Ａ，３９２Ｂ：封止部材
３９３Ａ，３９３Ｂ：Ｏリング
６１１    ：開口
７１１    ：本体部
７１２    ：溝
７１３    ：アーム部
７２１    ：リブ
【図１】
2019129098.tif 000003
【図２】
2019129098.tif 000004
【図３】
2019129098.tif 000005
【図４】
2019129098.tif 000006
【図５】
2019129098.tif 000007
【図６】
2019129098.tif 000008
【図７】
2019129098.tif 000009
【図８】
2019129098.tif 000010
【図９】
2019129098.tif 000011
【図１０】
2019129098.tif 000012
【図１１】
2019129098.tif 000013
【図１２】
2019129098.tif 000014
【図１３】
2019129098.tif 000015
【図１４】
2019129098.tif 000016
【図１５】
2019129098.tif 000017
【図１６】
2019129098.tif 000018
【図１７】
2019129098.tif 000019
【図１８】
2019129098.tif 000020
【図１９】
2019129098.tif 000021
【図２０】
2019129098.tif 000022
【図２１】
2019129098.tif 000023
【図２２】
2019129098.tif 000024
【図２３】
2019129098.tif 000025
【図２４】
2019129098.tif 000026
【図２５】
2019129098.tif 000027
【図２６】
2019129098.tif 000028
【図２７】
2019129098.tif 000029
【図２８】
2019129098.tif 000030
【図２９】
2019129098.tif 000031
【図３０】
2019129098.tif 000032
【図３１】
2019129098.tif 000033